(57)【要約】      （修正有）【課題】保護カバー上に取り付けたソーラエネルギ供給器により、電子ブックリーダーへ電力を何時でも供給することができる電子ブックリーダーのソーラバッテリ保護カバーを提供する。【解決手段】電子ブックリーダーのソーラバッテリ保護カバーは、保護カバー１及び導線を備える。保護カバー１には、収納空間が設けられる。収納空間内には、電子ブックリーダー５が収納される。保護カバー１上には、キーボードが取り付けられる。保護カバー１の収納空間の底部及びキーボードの盤面上には、ソーラエネルギ供給器２が取り付けられる。保護カバー１には、ソーラエネルギ供給器２と電気的に接続された伝送孔１３が設けられる。導線は、保護カバー１の伝送孔１３に挿着するコネクタが一端に設けられ、電子ブックリーダーコネクタが他端に設けられる。電子ブックリーダー５に設けた挿入孔５１に電子ブックリーダーコネクタを挿着させる。【選択図】図１
0003177246.tif 000002
【実用新案登録請求の範囲】
【請求項１】
保護カバー、ソーラエネルギ供給器、キーボード及び導線を備えた電子ブックリーダーのソーラバッテリ保護カバーであって、
前記保護カバーには、収納空間が設けられ、前記収納空間内には、電子ブックリーダーが収納され、前記キーボードが上に取り付けられ、
前記ソーラエネルギ供給器は、前記保護カバーの前記収納空間の底部及び前記キーボードの盤面上に取り付けられ、前記保護カバーには、前記ソーラエネルギ供給器と電気的に接続された伝送孔が設けられ、
前記導線は、前記保護カバーの前記伝送孔に挿着するコネクタが一端に設けられ、電子ブックリーダーコネクタが他端に設けられ、前記電子ブックリーダーに設けた挿入孔に前記電子ブックリーダーコネクタを挿着させることを特徴とする電子ブックリーダーのソーラバッテリ保護カバー。
【請求項２】
前記キーボードには、前記キーボードの線路と電気的に接続されたワイヤレス送信機が内蔵されることを特徴とする請求項１に記載の電子ブックリーダーのソーラバッテリ保護カバー。
【請求項３】
前記収納空間は、前記保護カバーの一端面に形成されるとともに、開口周側に沿って内向きに当接縁が形成され、
前記当接縁には、前記電子ブックリーダーの周縁が当接され、
前記キーボードは、前記保護カバーに対応して前記収納空間の他方の端面に取り付けられることを特徴とする請求項２に記載の電子ブックリーダーのソーラバッテリ保護カバー。
【考案の詳細な説明】
【技術分野】
【０００１】
本考案は、電子ブックリーダーのソーラバッテリ保護カバーに関し、特に、保護カバーにソーラエネルギ供給器を取り付け、電子ブックリーダーへ何時でも電力を供給することができる電子ブックリーダーのソーラバッテリ保護カバーに関する。
【背景技術】
【０００２】
従来の電子ブックリーダーの充電方式は、ケーブルの一端に設けられたプラグを商用電源に接続し、ケーブルの他端を電子ブックリーダーに接続して電力を供給する方式が一般的である。そのため、ユーザが電子ブックリーダーを携帯して外出先で使用し、電力を使い果した場合、商用電源のプラグ受を探して電力供給を行うのが一般的である。しかし、外出先で商用電源を探すことは容易でない上、プラグ受を使用する場合、その場所を管理する管理者の同意を得る必要がある上、使用料金が請求されることもある。ユーザが電子ブックリーダーを携帯して外出先で使用し、電子ブックリーダーの電力を使い果たして電力を供給することができない場合、利便性が大幅に低下する。
【０００３】
従来の電子ブックリーダーの操作は、主にタッチパネルを利用して入力することが一般的であり、一般には実物のキーボードで入力することに慣れているユーザにとって、操作に慣れずに大きな障害となることがある。電子ブックリーダーのキーボードは、スクリーンで表示されるように設計されている。そのため、表示可能なキーボードの面積が非常に小さく、年寄りにとって操作性及び作業効率が好ましくないため、電子ブックリーダーを便利に使用することはできない。
【考案の概要】
【考案が解決しようとする課題】
【０００４】
本考案の目的は、保護カバーに取り付けたソーラエネルギ供給器により、電子ブックリーダーへ電力を何時でも供給することができる電子ブックリーダーのソーラバッテリ保護カバーを提供することにある。
【課題を解決するための手段】
【０００５】
上記課題を解決するために、本考案の第１の形態によれば、保護カバー、ソーラエネルギ供給器、キーボード及び導線を備えた電子ブックリーダーのソーラバッテリ保護カバーであって、前記保護カバーには、収納空間が設けられ、前記収納空間内には、電子ブックリーダーが収納され、前記キーボードが上に取り付けられ、前記ソーラエネルギ供給器は、前記保護カバーの前記収納空間の底部及び前記キーボードの盤面上に取り付けられ、前記保護カバーには、前記ソーラエネルギ供給器と電気的に接続された伝送孔が設けられ、前記導線は、前記保護カバーの前記伝送孔に挿着するコネクタが一端に設けられ、電子ブックリーダーコネクタが他端に設けられ、前記電子ブックリーダーに設けた挿入孔に前記電子ブックリーダーコネクタを挿着させることを特徴とする電子ブックリーダーのソーラバッテリ保護カバーが提供される。
【０００６】
前記キーボードには、前記キーボードの線路と電気的に接続されたワイヤレス送信機が内蔵されることが好ましい。
【０００７】
前記収納空間は、前記保護カバーの一端面に形成されるとともに、開口周側に沿って内向きに当接縁が形成され、前記当接縁には、前記電子ブックリーダーの周縁が当接され、  前記キーボードは、前記保護カバーに対応して前記収納空間の他方の端面に取り付けられることが好ましい。
【考案の効果】
【０００８】
本考案の電子ブックリーダーのソーラバッテリ保護カバーは、ソーラエネルギ供給器を利用し、ソーラエネルギ光源又はランプ光源を受け取り、電子ブックリーダーへ電力を供給することにより、電子ブックリーダーを使用する際の利便性を高め、電子ブックリーダーを携帯して外出先で電力を使い果たしたときに商用電源により充電することができずに電子ブックリーダーを使用することができない状況が発生することを防ぐ電子ブックリーダーのソーラバッテリ保護カバーを提供することにある。
【図面の簡単な説明】
【０００９】
【図１】本考案の一実施形態に係る電子ブックリーダーのソーラバッテリ保護カバーを示す分解斜視図である。
【図２】本考案の一実施形態に係る電子ブックリーダーをソーラバッテリ保護カバーへ収納したときの状態を示す斜視図である。
【図３】本考案の一実施形態に係る電子ブックリーダーを有線方式で接続するときの状態を示す斜視図である。
【図４】本考案の一実施形態に係る電子ブックリーダーを無線方式で接続するときの状態を示す斜視図である。
【考案を実施するための形態】
【００１０】
図１を参照する。図１に示すように、本考案の一実施形態に係る電子ブックリーダーのソーラバッテリ保護カバーは、少なくとも保護カバー１、ソーラエネルギ供給器２、キーボード３及び導線４から構成される。
【００１１】
保護カバー１は、端面に設けられた収納空間１１を有する。この収納空間１１は、内向きに形成された当接縁１２を開口周側に有し、保護カバー１の側部に伝送孔１３が設けられている。
【００１２】
ソーラエネルギ供給器２は、保護カバー１の収納空間１１の底部と、キーボード３の盤面とに取り付けられ、ソーラパネル２１と、ソーラパネル２１と電気的に接続された光電変換装置と、を含む。光電変換装置とバッテリ２２とを電気的に接続させ、バッテリ２２と、保護カバー１の側部に設けられた伝送孔１３とを電気的に接続させる。ソーラエネルギ供給器２は、保護カバー１の収納空間１１の底部と、キーボード３の盤面上とに塗布された色素増感型ソーラバッテリでもよい。
【００１３】
キーボード３は、保護カバー１に対応して形成された収納空間１１の他方の端面に設置され、キーボード３とソーラエネルギ供給器２のバッテリ２２とを電気的に接続し、キーボード３の線路を、保護カバー１の側部に設けた伝送孔１３へ電気的に接続させる。
【００１４】
導線４は、保護カバー１の側部に設けられた伝送孔１３に一端が挿着され、電子ブックリーダーコネクタ４２が他端に設けられ、電子ブックリーダー５の挿入孔５１を挿着するために用いるコネクタ４１が端部に設けられている。
【００１５】
図１及び図２を参照する。図１及び図２に示すように、通常使用する際、タブレット型パソコン、携帯電話などの電子ブックリーダー５を保護カバー１に設けた収納空間１１内へ収納し、収納空間１１の開口周側に設けた当接縁１２へ電子ブックリーダー５の周縁を当接させることにより、保護カバー１の収納空間１１内へ電子ブックリーダー５を安定的に装着して保護カバー１を良好に覆い、これにより、電子ブックリーダー５を使用する際、他の物が当たったり他の物により摩損したりすることを防ぎ、保護カバー１の収納空間１１に形成された開口を利用し、ユーザは、保護カバー１に形成された開口から露出された電子ブックリーダー５のスクリーンにより直接、タッチ入力を行う。
【００１６】
ユーザは、電子ブックリーダー５のスクリーンにより表示されたキーボードにより、タッチ方式で文字を入力する際、入力速度が遅くなったり、電子ブックリーダー５のスクリーンで表示されたキーボードが小さすぎて操作性が悪くなったりするときに、図３を併せて参照すると分かるように、ユーザが保護カバー１の収納空間１１から電子ブックリーダー５を取り出して保護カバー１をひっくり返し、保護カバー１の背面に設けられたキーボード３を上方へ向け、導線４のコネクタ４１の一端を本実施形態の保護カバー１の側部に設けた伝送孔１３へ挿着してから、導線４の他端の電子ブックリーダーの電子ブックリーダーコネクタ４２を電子ブックリーダー５の挿入孔５１内へ挿着し、電子ブックリーダー５と、電子ブックリーダーのソーラバッテリ保護カバーとを電気的に接続する。
これにより、ユーザは、保護カバー１の背面に設けたキーボード３により文字を入力することができる。
キーボード３の各キーは、面積が大きいため、様々な年齢層のユーザが文字を打つなどの入力操作を便利に行うことができ、作業効率を高めることができる。
キーボード３の盤面に設けたソーラエネルギ供給器２は、ユーザがキーボード３及び電子ブックリーダー５を操作すると、ソーラ光源、蛍光灯などのランプ光源を受け取って電気エネルギへ変換し、キーボード３及び電子ブックリーダー５の動作に必要な電気エネルギを補充することができる。
【００１７】
ユーザが保護カバー１の背面に設けたキーボード３により入力操作を行う必要がない場合、保護カバー１をひっくり返して保護カバー１の収納空間１１を上方へ向けるが、この際、収納空間１１のソーラエネルギ供給器２のソーラパネル２１が露出され、ソーラエネルギ光源、蛍光灯などのランプ光源を受けとり、ソーラエネルギ光源又はランプ光源の光エネルギを光電変換装置により電気エネルギへ変換した後、ソーラエネルギ供給器２のバッテリ２２へ送り、導線４を介して電子ブックリーダー５のリチウム電池へ送って電子ブックリーダー５の充電を行う。
電子ブックリーダー５を使用して消耗された電力は、ソーラエネルギ供給器２により充電することができるため、ユーザは、電子ブックリーダー５を携帯して外出先で使用する際、電力を使い果たして商用電源が見つからずに充電することができず、電子ブックリーダー５を使用することができなくなったり、商用電源を使用して充電を行う際に電力コストの支払いが発生したりすることを防ぐ。
電子ブックリーダー５のユーザに経済的負担が発生し、ソーラエネルギ光源又はランプ光源の供給電力を受け取ることができる。そのため、石油、灯油、天然ガスなどの化石燃料により電気を発生させる商用電源を使用して汚染が発生することを防ぐことができる。
そのため、エネルギ消費量及び二酸化炭素の排出量を減らし、環境を汚染させないという現代社会のニーズに合致する。
【００１８】
図４を参照する。図４に示すように、本考案の他の実施形態に係る電子ブックリーダーのソーラバッテリ保護カバーのキーボード３には、キーボード３の線路と電気的に接続されたワイヤレス送信機が内蔵されている。使用する際、保護カバー１の収納空間１１から電子ブックリーダー５を取り出すと、保護カバー１の背面をひっくり返して保護カバー１背面のキーボード３を上方へ向けるだけで、キーボード３により文字入力を直接行い、キーボード３により入力された信号が、キーボード３に内蔵したワイヤレス送信機から電子ブックリーダー５へ送られ、受信した信号により電子ブックリーダー５を作動させることができるため、操作の利便性を高めることができる。
【００１９】
当該分野の技術を熟知するものが理解できるように、本考案の好適な実施形態を前述の通り開示したが、これらの記載は本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１  保護カバー
２  ソーラエネルギ供給器
３  キーボード
４  導線
５  電子ブックリーダー
１１  収納空間
１２  当接縁
１３  伝送孔
２１  ソーラパネル
２２  バッテリ
４１  コネクタ
４２  電子ブックリーダーコネクタ
５１  挿入孔
【図１】
0003177246.tif 000003
【図２】
0003177246.tif 000004
【図３】
0003177246.tif 000005
【図４】
0003177246.tif 000006